(57)【要約】      （修正有）【課題】複数の表示装置の設定情報を端末装置上にて閲覧することにより、設定情報を確認したり操作したりすることが可能な表示装置を提供する。【解決手段】表示装置（プロジェクター１）は、画像を表示する表示部（画像投写部１０）と、設定情報を設定する設定部（制御部２０）と、ネットワークと接続するネットワーク接続部と、他の表示装置の設定情報である他装置設定情報を、ネットワーク接続部を経由して取得する他装置設定情報受信部（外部情報取得部２３）と、設定情報と他装置設定情報とを閲覧するための閲覧画面データを生成する閲覧画面データ生成部（外部情報取得部２３）と、閲覧画面データをネットワーク接続部を経由して送信する送信部（Ｗｅｂサーバー２３）と、を備える。【選択図】図１
2015230648.tif 000002
【特許請求の範囲】
【請求項１】
画像を表示する表示部と、
設定情報を設定する設定部と、
ネットワークと接続するネットワーク接続部と、
他の表示装置の設定情報である他装置設定情報を、前記ネットワーク接続部を経由して取得する他装置設定情報受信部と、
前記設定情報と前記他装置設定情報とを閲覧するための閲覧画面データを生成する閲覧画面データ生成部と、
前記閲覧画面データを前記ネットワーク接続部を経由して送信する送信部と、
を備えることを特徴とする表示装置。
【請求項２】
請求項１に記載の表示装置であって、
前記他装置設定情報受信部が受信する前記他装置設定情報は、前記他の表示装置の設定情報を表す設定画面のデータを含むことを特徴とする表示装置。
【請求項３】
請求項１または２に記載の表示装置であって、
前記ネットワーク接続部を経由して設定変更の情報を受信する設定変更受信部をさらに有し、
前記設定部は、前記設定変更受信部が受信した前記設定変更の情報に基づいて、前記設定情報を設定することを特徴とする表示装置。
【請求項４】
請求項３に記載の表示装置であって、
前記設定変更受信部が受信した前記設定変更の情報の少なくとも一部を、前記ネットワーク接続部を経由して送信する設定変更送信部をさらに有することを特徴とする表示装置。
【請求項５】
請求項１乃至４のいずれか一項に記載の表示装置であって、
Ｗｅｂサーバーをさらに備え、
前記送信部は、前記Ｗｅｂサーバーの一部を構成していることを特徴とする表示装置。
【請求項６】
請求項５に記載の表示装置であって、
前記設定変更受信部は、前記Ｗｅｂサーバーの一部を構成していることを特徴とする表示装置。
【請求項７】
画像を表示する表示部と、設定情報を設定する設定部と、ネットワークと接続するネットワーク接続部と、を備える表示装置の制御方法であって、
他の表示装置の設定情報である他装置設定情報をネットワーク経由で受信する他装置設定情報受信ステップと、
前記設定情報と前記他装置設定情報とを閲覧するための閲覧画面データを生成する閲覧画面データ生成ステップと、
前記閲覧画面データをネットワーク経由で送信する送信ステップと、
を備えることを特徴とする表示装置の制御方法。
【発明の詳細な説明】
【技術分野】
【０００１】
本発明は、表示装置、および表示装置の制御方法に関する。
【背景技術】
【０００２】
従来、通信端末の操作画面上にプロジェクターの設定画面を表示することによりプロジェクターの設定をする表示システムが開示されている（特許文献１）。この表示システムでは、通信端末としての携帯電話機が、プロジェクターによって生成および出力された２次元コードを撮像し、当該２次元コードに応じたＵＲＬを取得する。そして、携帯電話機は、ＵＲＬに基づいてＷｅｂサーバーとして機能するプロジェクターと通信接続し、プロジェクターから操作画面を取得して、当該操作画面上で、プロジェクターの設定を変更する。
【先行技術文献】
【特許文献】
【０００３】
【特許文献１】特開２００９−２５３８９０号公報
【発明の概要】
【発明が解決しようとする課題】
【０００４】
特許文献１のようにプロジェクター等の表示装置の設定画面を表示することにより設定する端末装置（携帯電話機やパーソナルコンピューター（ＰＣ）等）においては、１画面に対して１つの表示装置の設定画面を表示していた。しかしながら、表示装置が複数の場合には、設定情報を端末装置上に一覧表示して、視認したり操作したりしたいという要望があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る表示装置は、画像を表示する表示部と、設定情報を設定する設定部と、ネットワークと接続するネットワーク接続部と、他の表示装置の設定情報である他装置設定情報を、前記ネットワーク接続部を経由して取得する他装置設定情報受信部と、前記設定情報と前記他装置設定情報とを閲覧するための閲覧画面データを生成する閲覧画面データ生成部と、前記閲覧画面データを前記ネットワーク接続部を経由して送信する送信部と、を備えることを特徴とする。
【０００７】
このような表示装置によれば、表示装置自身が他の表示装置の設定情報（他装置設定情報）を受信し、自身の設定情報と他の表示装置の設定情報とを閲覧する閲覧画面を生成するので、外部装置において、自身の設定情報と他の表示装置の設定情報を閲覧することが可能になる。
【０００８】
［適用例２］上記適用例に係る表示装置において、前記他装置設定情報受信部が受信する前記他装置設定情報は、前記他の表示装置の設定情報を表す設定画面のデータを含むことを特徴とする。
【０００９】
このような表示装置によれば、他装置設定情報は他の表示装置の設定情報を表す設定画面のデータを含むので、表示装置は、閲覧画面の生成を容易に行うことが可能になる。
【００１０】
［適用例３］上記適用例に係る表示装置において、前記ネットワーク接続部を経由して設定変更の情報を受信する設定変更受信部をさらに有し、前記設定部は、前記設定変更受信部が受信した前記設定変更の情報に基づいて、前記設定情報を設定することを特徴とする。
【００１１】
このような表示装置によれば、表示装置は、ネットワーク経由で設定変更の情報を受信して、設定情報を設定することができる。
【００１２】
［適用例４］上記適用例に係る表示装置において、前記設定変更受信部が受信した前記設定変更の情報の少なくとも一部を、前記ネットワーク接続部を経由して送信する設定変更送信部をさらに有することを特徴とする。
【００１３】
このような表示装置によれば、設定変更送信部は、設定変更受信部が受信した前記設定変更の情報の少なくとも一部を、前記ネットワーク接続部を経由して送信する。これにより、設定変更の情報の少なくとも一部を他の表示装置に送信することが可能になる。
【００１４】
［適用例５］上記適用例に係る表示装置において、Ｗｅｂサーバーをさらに備え、前記送信部は、前記Ｗｅｂサーバーの一部を構成していることを特徴とする。
【００１５】
このような表示装置によれば、Ｗｅｂサーバーを備え、送信部はＷｅｂサーバーの一部を構成している。これにより、Ｗｅｂサーバーによって、閲覧画面データを送信することが可能になる。
【００１６】
［適用例６］上記適用例に係る表示装置において、前記設定変更受信部は、前記Ｗｅｂサーバーの一部を構成していることを特徴とする。
【００１７】
このような表示装置によれば、設定変更受信部は、Ｗｅｂサーバーの一部を構成している。これにより、Ｗｅｂサーバーによって、設定変更の情報を受信することができる。
【００１８】
［適用例７］本適用例に係る表示装置の制御方法は、画像を表示する表示部と、設定情報を設定する設定部と、ネットワークと接続するネットワーク接続部と、を備える表示装置の制御方法であって、他の表示装置の設定情報である他装置設定情報をネットワーク経由で受信する他装置設定情報受信ステップと、前記設定情報と前記他装置設定情報とを閲覧するための閲覧画面データを生成する閲覧画面データ生成ステップと、前記閲覧画面データをネットワーク経由で送信する送信ステップと、を備えることを特徴とする。
【００１９】
このような表示装置の制御方法によれば、表示装置自身が他の表示装置の設定情報（他装置設定情報）を受信し、自身の設定情報と他の表示装置の設定情報とを閲覧する閲覧画面を生成するので、外部装置（ＰＣ等）において、自身の設定情報と他の表示装置の設定情報を閲覧することが可能になる。
【００２０】
また、上述した表示装置、および表示装置の制御方法が、表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２１】
【図１】本実施形態に係るプロジェクターの概略構成を示すブロック図。
【図２】プロジェクターのインターフェイス部のブロック図。
【図３】ＰＣと複数のプロジェクターとの第１の接続例を表す説明図。
【図４】プロジェクターの設定画面の説明図であり、（ａ）は、１つのプロジェクターの設定画面の説明図、（ｂ）は、４つのプロジェクターの一覧画面の説明図。
【図５】ＰＣと複数のプロジェクターとの第２の接続例を表す説明図。
【発明を実施するための形態】
【００２２】
（実施形態）
以下、表示装置の実施形態として、設定情報を閲覧するための一覧画面を生成し、ＰＣ等の外部装置に送信するプロジェクターについて説明する。
【００２３】
図１は、本実施形態に係るプロジェクター１の概略構成を示すブロック図である。
図１に示すように、プロジェクター１は、表示部としての画像投写部１０、制御部２０、操作受付部２１、記憶部２２、インターフェイス部２３、画像信号入力部３０、画像処理部３２、ＯＳＤ処理部３３等を備えている。また、図１では、プロジェクター１の他に、ＬＡＮ（Local Area Network）等のネットワークＮＷ、プロジェクター２、プロジェクター３、プロジェクター４、およびＰＣ５００が表示されている。
【００２４】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面ＳＣに画像を表示する。
【００２５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリックス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２７】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。
【００２８】
操作受付部２１は、ユーザーのキー操作を受け付ける操作パネル等であり、ユーザーがプロジェクター１に対して各種指示を行うための複数の操作キーを備えている。本実施形態の操作受付部２１が備える操作キーとしては、電源のオン・オフを切り換えるための電源キー、入力された画像情報を切り換えるための入力切換キー、各種設定情報のメニュー画像を表示させるメニューキー、メニュー画像における項目の選択等に用いられる方向キー、選択した項目を確定させるための決定キー等がある。
【００２９】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（リモートコントローラー）（図示せず）を操作受付部として用いた構成としてもよい。この場合、リモコンは、ユーザーの操作内容に応じた赤外線等の操作信号を発信し、図示しないリモコン信号受信部がこれを受信して制御部２０に伝達する。
【００３０】
記憶部２２は、不揮発性のメモリーからなり、プロジェクター１の各種設定情報等が記憶されている。ユーザーが、操作受付部２１に備わるメニューキーを押下し、メニュー画像を表示して、各種の項目を設定すると、設定された設定情報が制御部２０によって記憶部２２に記憶される。このように、記憶部２２に設定情報を記憶（設定）させる際の制御部２０が、設定部に相当する。
【００３１】
インターフェイス部２３は、ＴＣＰ／ＩＰ等のプロトコルを用いて、ネットワークＮＷを介してＰＣ５００、プロジェクター２、プロジェクター３、プロジェクター４等との通信を行う。インターフェイス部２３は、Ｗｅｂサーバーと外部情報取得部とを有している。
【００３２】
本実施形態のＷｅｂサーバーは、外部のブラウザーや他のプロジェクターの外部情報取得部からの要求に応じて、プロジェクター１が記憶している設定情報、設定画面のデータやその他の情報を、ネットワークＮＷ経由でＨＴＭＬ（HyperText Markup Language）形式の文書として送信する。本実施形態の外部情報取得部は、いわゆるブラウザーに相当する機能を有する。すなわち、他のプロジェクターのＷｅｂサーバーにアクセスすることにより、他のプロジェクターの設定情報、設定画面のデータやその他の情報をまとまった形で取得する。そして、取得した設定情報や設定画面のデータに基づいて、閲覧画面を生成する。ここで、Ｗｅｂサーバーが送信部に相当し、外部情報取得部が他装置設定情報受信部、および閲覧画面データ生成部に相当する。また、Ｗｅｂサーバーや外部情報取得部がネットワークＮＷと接続するための構成部（例えば、端子やケーブル、通信プロトコル等（いずれも図示せず））が、ネットワーク接続部に相当する。
【００３３】
図２は、本実施形態に係るプロジェクターのインターフェイス部２３のブロック図である。
図２に示すように、インターフェイス部２３は、Ｗｅｂサーバー２３ａおよび外部情報取得部２３ｂ等を備えている。Ｗｅｂサーバー２３ａは、設定情報や設定画面のデータ等の情報をネットワークＮＷ経由で送信する送信部２３ａ１、および、後述する設定変更受信部２３ａ２を有している。また、外部情報取得部は、他のプロジェクターの設定情報や設定画面のデータ等の情報をネットワークＮＷ経由で取得する他装置設定情報受信部２３ｂ１、取得した設定情報や設定画面のデータに基づいて閲覧画面を生成する閲覧画面データ生成部２３ｂ２、および、後述する設定変更送信部２３ｂ３を有している。
【００３４】
図１に戻り、画像信号入力部３０は、複数の入力端子を備えており、これらの入力端子には、ビデオ再生装置やパーソナルコンピューター等、図示しない外部の画像供給装置から各種形式の画像信号が入力される。画像信号入力部３０は、入力された画像信号をデジタルの画像情報に変換し、その画像情報を画像処理部３２に出力する。
【００３５】
画像処理部３２は、画像信号入力部３０から入力される画像信号を、液晶ライトバルブ１２Ｒ，１２Ｇ，１２Ｂの各画素の階調を表す画像情報、即ち各画素に印加する駆動電圧を規定するための画像情報に変換する。さらに、画像処理部３２は、制御部２０の指示に基づいて、変換した画像情報に対して、明るさ、コントラスト、シャープネス、色合い等の画質を調整するための画質調整処理等を行い、処理後の画像情報をＯＳＤ処理部３３に出力する。
【００３６】
ＯＳＤ処理部３３は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３３は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３３は、必要なＯＳＤ画像情報をＯＳＤメモリーから読み出し、入力画像上の所定の位置にＯＳＤ画像が重畳されるように、画像処理部３２から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３３は、画像処理部３２から入力される画像情報を、そのまま液晶駆動部１４に出力する。
【００３７】
液晶駆動部１４が、ＯＳＤ処理部３３から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３等の投写光学系から投写される。
【００３８】
プロジェクター２、プロジェクター３、およびプロジェクター４は、プロジェクター１と同様な構成とする。ＰＣ５００は、一般的なパーソナルコンピューターであり、ソフトウェアアプリケーションであるブラウザーを備えている。ＰＣ５００、プロジェクター１、プロジェクター２、プロジェクター３、およびプロジェクター４は、同じネットワークＮＷに接続されている。
【００３９】
（実施例１）
次に、ＰＣ５００、プロジェクター１、プロジェクター２、プロジェクター３、および、プロジェクター４の接続例について説明する。
図３は、ＰＣ５００と複数のプロジェクターとの第１の接続例を表す説明図である。
【００４０】
図３では、各プロジェクターのインターフェイス部のみを記し、第１の接続例を表している。なお、図３では簡易化のため、ＰＣ５００および各プロジェクターのインターフェイス部を実線で直接接続しているが、実際には、ネットワークＮＷを介して接続されている。このとき、プロジェクター１、プロジェクター２、プロジェクター３、プロジェクター４は、それぞれのＩＰアドレスによって区別される。
【００４１】
図３に示すように、ＰＣ５００は、ブラウザー５００ｂを有している。プロジェクター１のインターフェイス部２３は、Ｗｅｂサーバー２３ａおよび外部情報取得部２３ｂを有している。プロジェクター２のインターフェイス部２２３は、Ｗｅｂサーバー２２３ａおよび外部情報取得部２２３ｂを有している。プロジェクター３のインターフェイス部３２３は、Ｗｅｂサーバー３２３ａおよび外部情報取得部３２３ｂを有している。プロジェクター４のインターフェイス部４２３は、Ｗｅｂサーバー４２３ａおよび外部情報取得部４２３ｂを有している。
【００４２】
各プロジェクターの制御部（図示せず）は、それぞれの記憶部（図示せず）から設定情報を取得する。各インターフェイス部２３，２２３，３２３，４２３は、設定情報に基づいて設定画面のデータを生成することができる。具体的には、各外部情報取得部２３ｂ，２２３ｂ，３２３ｂ，４２３ｂが、設定画面のデータを生成することができる。各Ｗｅｂサーバー２３ａ，２２３ａ，３２３ａ，４２３ａは、要求に応じて、それぞれのプロジェクターの設定情報や設定画面のデータを提供する。
【００４３】
本実施例では、プロジェクター１をホストとしている。ホストであるプロジェクター１の外部情報取得部２３ｂは、プロジェクター２のＷｅｂサーバー２２３ａ、プロジェクター３のＷｅｂサーバー３２３ａ、およびプロジェクター４のＷｅｂサーバー４２３ａに対して、それぞれのプロジェクターの設定情報や設定画面のデータを要求する。プロジェクター１の外部情報取得部２３ｂは、取得した各プロジェクターの設定情報や設定画面のデータに基づき、設定画面を合成した一覧画面（閲覧画面に相当する）のデータ、即ちＷｅｂページを生成する。プロジェクター１のＷｅｂサーバー２３ａは、外部情報取得部２３ｂが生成した一覧画面のデータを要求に応じて送信することができる。
【００４４】
ＰＣ５００のブラウザー５００ｂは、ホストであるプロジェクター１のＷｅｂサーバー２３ａに要求することで、各プロジェクターの設定情報が一覧表示された一覧画面のデータを取得して表示することができる。
【００４５】
このようにＰＣ５００のブラウザー５００ｂで、一覧画面のデータを取得して表示するためには、ユーザーは、ＰＣ５００のブラウザー５００ｂからプロジェクター１に対して、プロジェクター２、プロジェクター３、およびプロジェクター４のＩＰアドレスを入力する。これにより、上記のようにプロジェクター１の外部情報取得部２３ｂは、プロジェクター２のＷｅｂサーバー２２３ａ、プロジェクター３のＷｅｂサーバー３２３ａ、プロジェクター４のＷｅｂサーバー４２３ａにアクセスすることができる。
【００４６】
ここで、設定情報に基づく設定画面および一覧画面について説明する。
図４は、プロジェクターの設定画面の説明図であり、（ａ）は、１つのプロジェクター１の設定画面の説明図であり、（ｂ）は、４つのプロジェクターの一覧画面の説明図である。
【００４７】
図４（ａ）に示すように、１つのプロジェクター１の設定画面Ｇ１では、画面上部の右側に、プロジェクター名「ＰＪ１００１」が表示されている。画面左側には、主な設定項目名が縦に並んで表示されている。画面右側には、選択された主な設定項目に含まれる詳細な設定項目とその設定値が表示されている。
【００４８】
このような設定項目や設定値等の設定情報は、各プロジェクターの記憶部２２等（図１参照）に記憶されており、その設定情報に基づいてインターフェイス部２３，２２３，３２３，４２３が、設定画面Ｇ１を生成することができる。ＰＣ５００のブラウザー５００ｂは、ＩＰアドレスを指定することで、プロジェクター１のＷｅｂサーバー２３ａの設定画面Ｇ１のデータを取得して表示することができる。同様に、ＰＣ５００のブラウザー５００ｂは、ＩＰアドレスを指定することで、プロジェクター２のＷｅｂサーバー２２３ａや、プロジェクター３のＷｅｂサーバー３２３ａ、プロジェクター４のＷｅｂサーバー４２３ａから設定画面のデータを取得して表示することができる。
【００４９】
図４（ｂ）は、ホストであるプロジェクター１のインターフェイス部２３の外部情報取得部２３ｂが、プロジェクター２、プロジェクター３、プロジェクター４から取得した設定情報や設定画面のデータと、プロジェクター１自身の設定情報や設定画面Ｇ１のデータとを合成して生成した一覧画面Ｇ２である。一覧画面Ｇ２は、プロジェクター１（ＰＪ１００１）の設定画面、プロジェクター２（ＰＪ１００２）の設定画面、プロジェクター３（ＰＪ１００３）の設定画面、およびプロジェクター４（ＰＪ１００４）の設定画面が一覧できるように並べて表示される。ＰＣ５００のブラウザー５００ｂは、プロジェクター１のＷｅｂサーバー２３ａから、一覧画面Ｇ２のデータを取得して表示することができる。
【００５０】
また、一覧画面Ｇ２を表示しているＰＣ５００のブラウザー５００ｂ上で、ユーザーによる設定情報の変更が可能である。設定情報が変更されると、ブラウザー５００ｂは、設定情報変更の要求をプロジェクター１のＷｅｂサーバー２３ａに送信する。Ｗｅｂサーバー２３ａが設定情報変更の要求を受信すると、その設定情報変更の要求がプロジェクター１の設定を変更する要求かどうかを判断し、プロジェクター１に対する要求である場合は、プロジェクター１の制御部２０に対し設定の変更要求を伝える。その設定情報変更の要求がプロジェクター１以外のプロジェクターに対するものである場合、プレジェクター１の外部情報取得部２３ｂは、設定情報が変更されたプロジェクターのＷｅｂサーバーに対して、設定情報を変更するように要求を送信する。このときの外部情報取得部２３ｂが、設定変更送信部（２３ｂ３）に相当する。要求を受信したプロジェクターのＷｅｂサーバーは、制御部に通知をして、記憶部に変更した設定情報を記憶させる。このときのＷｅｂサーバーが、設定変更受信部（２３ａ２）に相当する。
【００５１】
（実施例２）
次に、上述した第１の接続例とは別の接続例（第２の接続例）について説明する。
図５は、ＰＣ５００と複数のプロジェクターとの第２の接続例を表す説明図である。
【００５２】
図５では、図３と同様に各プロジェクターのインターフェイス部のみを記している。ＰＣ５００、プロジェクター１、プロジェクター２、プロジェクター３、および、プロジェクター４の構成は、第１の接続例と同様とする。
【００５３】
本実施例でも、プロジェクター１をホストとしている。そして、プロジェクター２には、プロジェクター４がカスケード接続されている。ホストであるプロジェクター１の外部情報取得部２３ｂは、プロジェクター２のＷｅｂサーバー２２３ａおよびプロジェクター３のＷｅｂサーバー３２３ａに対して、それぞれのプロジェクターの設定情報や設定画面のデータを要求する。プロジェクター２の外部情報取得部２２３ｂは、カスケード接続されているプロジェクター４のＷｅｂサーバー４２３ａに対して、プロジェクター４の設定情報や設定画面のデータを要求する。これにより、プロジェクター２のＷｅｂサーバー２２３ａは、プロジェクター２およびプロジェクター４の設定情報や設定画面のデータを取得し、プロジェクター１の外部情報取得部２３ｂに送信することができる。
【００５４】
プロジェクター１の外部情報取得部２３ｂは、取得したプロジェクター２、プロジェクター４、およびプロジェクター３の設定情報や設定画面のデータに基づき、設定画面を合成した一覧画面Ｇ２のデータ、即ちＷｅｂページを生成する。プロジェクター１のＷｅｂサーバー２３ａは、要求に応じて、外部情報取得部２３ｂが生成した一覧画面Ｇ２のデータを送信することができる。
【００５５】
ＰＣ５００のブラウザー５００ｂは、ホストであるプロジェクター１のＷｅｂサーバー２３ａに要求することで、各プロジェクターの設定情報が一覧表示された一覧画面Ｇ２のデータを取得して表示することができる。なお、ユーザーは、ＰＣ５００のブラウザー５００ｂからプロジェクター１に対して、プロジェクター２、プロジェクター３、およびプロジェクター４のＩＰアドレスを入力する。これにより、上記のようにプロジェクター１の外部情報取得部２３ｂは、プロジェクター２のＷｅｂサーバー２２３ａ、およびプロジェクター３のＷｅｂサーバー３２３ａにアクセスすることができる。さらに、プロジェクター２の外部情報取得部２２３ｂはプロジェクター４のＷｅｂサーバー４２３ａにアクセスすることができる。
【００５６】
上述した実施形態によれば、以下の効果が得られる。
（１）プロジェクター１の外部情報取得部２３ｂは、ネットワークＮＷに接続された他のプロジェクター２，３，４の設定情報を受信する。外部情報取得部２３ｂは、プロジェクター１自身の設定情報と他のプロジェクター２，３，４の設定情報とを一覧する一覧画面Ｇ２のデータ（Ｗｅｂページ）を生成する。ＰＣ５００からの要求により、Ｗｅｂサーバー２３ａは、一覧画面Ｇ２のデータを送信する。これにより、プロジェクター１はホストとして、一覧画面Ｇ２を生成して、ＰＣ５００に送信することが可能になる。よって、ＰＣ５００において、複数のプロジェクター１，２，３，４の設定画面の一覧画面Ｇ２を表示することが可能になる。そして、ユーザーは、ＰＣ５００のブラウザー５００ｂ上でそれぞれのプロジェクター１，２，３，４の設定情報を視認し、比較することができるため利便性が向上する。
【００５７】
（２）プロジェクター１のＷｅｂサーバー２３ａは、ＰＣ５００のブラウザー５００ｂによる設定変更の情報を受信する。Ｗｅｂサーバー２３ａが受信した設定変更の情報に基づき、外部情報取得部２３ｂは、ＰＣ５００のブラウザー５００ｂ上で設定情報が変更されたプロジェクターのＷｅｂサーバーに対して、設定情報を変更するように要求を送信する。要求を受信したプロジェクターのＷｅｂサーバーは、制御部に通知をして、記憶部に変更した設定情報を記憶させる。これにより、ユーザーは、ＰＣ５００のブラウザー５００ｂで一覧画面Ｇ２を視認しながら、ＰＣ５００から遠隔操作によって、所望のプロジェクターの設定情報の設定変更を行うことが可能になるため、利便性が高い。
【００５８】
（３）プロジェクター１によれば、Ｗｅｂサーバー２３ａが受信するのは、他のプロジェクターの設定情報が表されている設定画面のデータでもよい。この場合、各プロジェクター１，２，３，４の設定画面のデータを合成することで、一覧画面Ｇ２の生成を容易に行うことが可能になる。
【００５９】
（４）プロジェクター１は、Ｗｅｂサーバー２３ａと外部情報取得部２３ｂとを備える。外部情報取得部２３ｂは、設定情報や設定画面のデータを受信し、一覧画面Ｇ２を生成する。Ｗｅｂサーバー２３ａは、一覧画面Ｇ２を送信する。Ｗｅｂサーバー２３ａおよび外部情報取得部２３ｂ（ブラウザーに相当）は、ソフトウェアとして実装することが可能である。これにより、プロジェクター１は、ソフトウェア（Ｗｅｂサーバー２３ａおよび外部情報取得部２３ｂ）によって、ＰＣ５００や他のプロジェクター２，３，４と送受信することが可能になる。このようなＷｅｂサーバー２３ａや外部情報取得部２３ｂ（ブラウザーに相当）は、汎用的なソフトウェアであるため、機種に依存することなく設計して実装することが可能であるため、有益である。なお、Ｗｅｂサーバー２３ａおよび外部情報取得部２３ｂは、ソフトウェアによる実装に限定するものではない。
【００６０】
なお、上述した実施形態に限定されず、種々の変更や改良等を加えて実施することが可能である。変形例を以下に述べる。
【００６１】
（変形例１）上記実施形態では、プロジェクター１，２，３，４のインターフェイス部２３，２２３，３２３，４２３には、Ｗｅｂサーバー２３ａ，２２３ａ，３２３ａ，４２３ａと、外部情報取得部２３ｂ，２２３ｂ，３２３ｂ，４２３ｂとを有するものとしたが、これらの代わりに、コマンド入力部およびコマンド出力部を備えるものとしてもよい。この場合には、プロジェクター間において設定情報を通信可能なコマンドを用いることで対応することが可能である。
【００６２】
（変形例２）上記実施形態では、各プロジェクターに接続するための情報として、ＩＰアドレスを使用したが、接続先のプロジェクターを特定できるものであれば、他の情報であってもよい。例えば、ＭＡＣアドレス等でもよい。
【００６３】
（変形例３）上記実施形態では、ＰＣ５００のブラウザー５００ｂからプロジェクター１に対して、プロジェクター２、プロジェクター３、プロジェクター４のＩＰアドレスを入力するものとしたが、各プロジェクターのＩＰアドレスを、操作受付部２１、あるいはリモコンを使用して、プロジェクター１に直接入力してもよい。また、実施例２（第２の接続例）の場合には、プロジェクター４のＩＰアドレスを、プロジェクター２に直接入力してもよい。
【００６４】
（変形例４）上記実施形態では、プロジェクターの数は４つとしたが、４つに限定するものではない。プロジェクターの数は複数であればよい。
【００６５】
（変形例５）上記実施形態では、一覧画面Ｇ２は、プロジェクター１，２，３，４を２行２列で表示したが、表示態様はこれに限定しない。例えば、一覧画面は、１行４列でもよいし、４行１列でもよい。また、上記及び下記実施例においては、閲覧画面の例として一覧画面を用いて説明をしているが、一覧画面でなくてもタブ形式等の画面により閲覧画面を形成してもかまわない。
【００６６】
（変形例６）上記実施形態では、プロジェクター２、プロジェクター３、およびプロジェクター４は、プロジェクター１と同様な構成とするものとしたが、それぞれのインターフェイス部２２３，３２３，４２３が、プロジェクター１のインターフェイス部２３と同様な構成であれば、他の部分の構成が異なっていてもかまわない。
【００６７】
（変形例７）上記実施形態では、ＰＣ５００のブラウザー５００ｂ上に一覧画面Ｇ２が表示され、ユーザーが設定情報の変更を行うことができるものとした。このとき、ブラウザー５００ｂ上で行われる設定情報の変更操作は、プロジェクター毎に設定変更を可能としてもよいし、一覧画面Ｇ２に表示されている全プロジェクターについて一括して設定変更を可能としてもよい。こうすれば、同一の設定情報を全プロジェクターに効率的に設定することができる。
【００６８】
（変形例８）上記実施形態では、プロジェクター１の外部情報取得部２３ｂが、他のプロジェクターのＷｅｂサーバーから設定情報やその設定画面のデータを取得して、一覧画面Ｇ２を生成するものとしたが、インターフェイス部２３内に、一覧画面Ｇ２を生成（合成）する合成部（図示せず）を有してもよい。つまり、外部情報取得部２３ｂが合成部に一覧画面Ｇ２を合成させてもよい。
【００６９】
（変形例９）上記実施形態では、プロジェクター１，２，３，４、およびＰＣ５００は、ＬＡＮ等のネットワークＮＷに接続されているものとしたが、機器間の通信は、ＬＡＮに限定するものではない。例えば、ＵＳＢ（Universal Serial Bus）やＢｌｕｅｔｏｏｔｈ（登録商標）などの通信を用いてもよい。機器間の通信は、有線による通信であってもよいし、無線による通信であってもよい。
【００７０】
（変形例１０）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００７１】
（変形例１１）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【００７２】
（変形例１２）上記実施形態では、プロジェクター１を例にして説明しているが、表示装置は、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、ＣＲＴ（陰極線管）ディスプレイ、ヘッドマウントディスプレイ等のディスプレイ装置、またはテレビ受像機等の自発光型の表示装置等に適用することも可能である。
【符号の説明】
【００７３】
１，２，３，４…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、２２…記憶部、２３，２２３，３２３，４２３…インターフェイス部、２３ａ，２２３ａ，３２３ａ，４２３ａ…Ｗｅｂサーバー、２３ｂ，２２３ｂ，３２３ｂ，４２３ｂ…外部情報取得部、３０…画像信号入力部、３２…画像処理部、３３…ＯＳＤ処理部、５００…ＰＣ、５００ｂ…ブラウザー、ＳＣ…投写面。
【図１】
2015230648.tif 000003
【図２】
2015230648.tif 000004
【図３】
2015230648.tif 000005
【図４】
2015230648.tif 000006
【図５】
2015230648.tif 000007